(57)【特許請求の範囲】
【請求項１】
平面視矩形状のベース部材と、上記ベース部材の外周縁を構成する４つの側面部のうち２つの側面部に設けられた第１係止部と、上記４つの側面部のうち他の２つの側面部に設けられた第２係止部と、を備え、
上記第１係止部および第２係止部が互いに係合することにより、縦横に連結可能とされた床用敷物であって、
上記ベース部材は、平面視矩形状の複数の単位領域を有し、
上記複数の単位領域は、所定幅の境界部を介して複数行、複数列に並んで一体化されており、
上記各単位領域は、平面視において一定形状の複数の単位ブロックが縦横に配列された構成を含み、
上記複数の単位ブロックは、平面視において複数ずつ並ぶ縦壁および横壁が縦横に交差した格子状の格子壁として構成され、
上記格子壁の上部は、凸部および凹部からなる凹凸状とされており、
上記凸部は、上記各縦壁と上記各横壁との交差部、および隣り合う２つの上記交差部の間に設けられており、
上記凹部は、上記各横壁の上端縁における上記各縦壁に隣接する部位、および上記各縦壁の上端縁における上記各横壁に隣接する部位に設けられており、
上記格子壁を構成する格子の目には、当該格子壁につながる十字状の追加壁が設けられており、
上記各追加壁の中央交差部には、上方に突出する突起が設けられており、
上記各追加壁は、上記中央交差部に隣接し、かつ上端縁が上記中央交差部から遠ざかるにつれて下方に変位する傾斜部と、上記傾斜部に隣接し、かつ上記格子壁に隣接する接続部と、を有し、
上記接続部の上端縁は、上記格子壁の上記凹部よりも低位に位置することを特徴とする、床用敷物。
【請求項２】
上記境界部の上部は、上記単位領域の上部よりも低位に位置する、請求項１に記載の床用敷物。
【請求項３】
上記第１係止部が設けられた上記２つの側面部には、基端が上記ベース部材の下部につながり、かつ外側に向けて延出する平板部を備え、
上記平板部の先端には、上方に突出する帯状突部が設けられている、請求項１または２に記載の床用敷物。
【請求項４】
上記ベース部材の下面には、上記各側面部から所定寸法内側の位置を境界線とする凹段部が形成されている、請求項１ないし３のいずれかに記載の床用敷物。
【請求項５】
請求項１ないし４のいずれかに記載の床用敷物と同一の構成を有する、第１床用敷物と第２床用敷物とを備える床用敷物のセットであって、
上記第１床用敷物における上記複数の単位領域は、第１の行数および列数で複数行、複数列に並んでおり、
上記第２床用敷物における上記複数の単位領域は、上記第１の行数および列数とは異なる第２の行数および列数で複数行、複数列に並んでいることを特徴とする、床用敷物のセット。
【発明の詳細な説明】
【技術分野】
【０００１】
本発明は床用敷物に関し、特に、縦横に複数連結した状態で床面上に敷き詰めて使用するのに適した床用敷物、および床用敷物のセットに関する。
【背景技術】
【０００２】
従来、屋内外における通路や風除室には、靴底の汚れの除去、下地の保護などを目的として、床用敷物を所要箇所に敷き詰めることが行われている。この床用敷物としては、プラスチックなどにより形成された平面視矩形状のベース部材を具備したものが知られている（たとえば、特許文献１を参照）。
【０００３】
特許文献１に記載されている床用敷物は、同文献の図１に表れているように、本体１（ベース部材）の上面に格子を設けた構造とされている。平面視矩形状の本体１において、その外周縁を構成する４つの側面部のうち、隣合う２つの側面部には接続筒３（第１係止部）が設けられ、他の２つの側面部には挿入体７（第２係止部）が設けられている。そして、挿入体７を接続筒３に挿入し、これら接続筒３および挿入体７を互いに係合させることにより、縦横に複数連結可能とされている。
【０００４】
上記構成の床用敷物は、たとえば、使用場所に応じて所望のサイズとなるように、縦横に複数連結した状態で床面上に敷き詰めて使用される。敷き詰められた複数の床用敷物の周縁部分は、必要に応じて切断される。また、上記構成の床用敷物は、視覚障害者用の警告パネルや誘導パネル（以下、「警告・誘導パネル」という）を取り囲むようにして使用される場合がある。
【０００５】
このような種々の使用態様を考慮して、床用敷物については、外形寸法の異なる複数サイズとして作製される場合があり、図１２に表れているように、たとえば、１５０ｍｍ角の小サイズの床用敷物Ｘ１と、４５０ｍｍ角の大サイズの床用敷物Ｘ２とが準備される。小サイズの床用敷物Ｘ１は、複数連結して敷き詰められる床用敷物Ｘ２の周縁付近や、サイズが３００ｍｍ角の警告・誘導パネルＰに隣接する位置に配置され、主としてサイズ調整の目的で使用される。
【０００６】
複数の床用敷物Ｘ１（Ｘ２）を敷き詰めると、隣接する床用敷物Ｘ１（Ｘ２）の継ぎ目には所定幅の隙間が形成される。上記したサイズの異なる床用敷物Ｘ１，Ｘ２を混在して敷き詰めると、床用敷物Ｘ１，Ｘ２の継ぎ目が不揃いとなって外観上の体裁が悪くなるので、好ましくない。
【先行技術文献】
【特許文献】
【０００７】
【特許文献１】実開昭５８−８３８４号公報
【発明の概要】
【発明が解決しようとする課題】
【０００８】
本発明は、このような事情のもとで考え出されたものであって、縦横に連結可能とされた床用敷物において、使用状態に拘わらず外観上の体裁を良好に維持することが可能な床用敷物、およびこのような床用敷物のセットを提供することを課題とする。
【課題を解決するための手段】
【０００９】
上記の課題を解決するため、本発明では、次の技術的手段を講じている。
【００１０】
本発明の第１の側面によって提供される床用敷物は、平面視矩形状のベース部材と、上記ベース部材の外周縁を構成する４つの側面部のうち２つの側面部に設けられた第１係止部と、上記４つの側面部のうち他の２つの側面部に設けられた第２係止部と、を備え、上記第１係止部および第２係止部が互いに係合することにより、縦横に連結可能とされた床用敷物であって、上記ベース部材は、平面視矩形状の複数の単位領域を有し、上記複数の単位領域は、所定幅の境界部を介して複数行、複数列に並んで一体化されており、上記各単位領域は、平面視において一定形状の複数の単位ブロックが縦横に配列された構成を含み、上記複数の単位ブロックは、平面視において複数ずつ並ぶ縦壁および横壁が縦横に交差した格子状の格子壁として構成され、上記格子壁の上部は、凸部および凹部からなる凹凸状とされており、上記凸部は、上記各縦壁と上記各横壁との交差部、および隣り合う２つの上記交差部の間に設けられており、上記凹部は、上記各横壁の上端縁における上記各縦壁に隣接する部位、および上記各縦壁の上端縁における上記各横壁に隣接する部位に設けられており、上記格子壁を構成する格子の目には、当該格子壁につながる十字状の追加壁が設けられており、上記各追加壁の中央交差部には、上方に突出する突起が設けられており、上記各追加壁は、上記中央交差部に隣接し、かつ上端縁が上記中央交差部から遠ざかるにつれて下方に変位する傾斜部と、上記傾斜部に隣接し、かつ上記格子壁に隣接する接続部と、を有し、上記接続部の上端縁は、上記格子壁の上記凹部よりも低位に位置することを特徴としている。
【００１１】
このような構成の床用敷物によれば、ベース部材における複数行、複数列に並んだ複数の単位領域は、所定幅の境界部によって互いに区切られている。これにより、ベース部材の上面においては、複数の単位領域が縦横に並ぶ態様が表れている。複数の床用敷物を縦横に連結して使用する際には、隣接する床用敷物の間の継ぎ目は、各床用敷物における隣接する単位領域の間の境界部との区別が付き難い。したがって、連結された複数の床用敷物は、継ぎ目の有無に拘わらず、同一の単位領域が連続して並ぶように見える。その結果、連結された床用敷物について、外観上の体裁が良好である。
【００１２】
好ましい実施の形態においては、上記境界部の上部は、上記単位領域の上部よりも低位に位置する。
【００１８】
好ましい実施の形態においては、上記第１係止部が設けられた上記２つの側面部には、基端が上記ベース部材の下部につながり、かつ外側に向けて延出する平板部を備え、上記平板部の先端には、上方に突出する帯状突部が設けられている。
【００１９】
好ましい実施の形態においては、上記ベース部材の下面には、上記各側面部から所定寸法内側の位置を境界線とする凹段部が形成されている。
【００２０】
本発明の第２の側面によって提供される床用敷物のセットは、本発明の第１の側面によって提供される床用敷物と同一の構成を有する、第１床用敷物と第２床用敷物とを備える床用敷物のセットであって、上記第１床用敷物における上記複数の単位領域は、第１の行数および列数で複数行、複数列に並んでおり、上記第２床用敷物における上記複数の単位領域は、上記第１の行数および列数とは異なる第２の行数および列数で複数行、複数列に並んでいることを特徴としている。
【００２１】
本発明のその他の特徴および利点は、添付図面を参照して以下に行う詳細な説明によって、より明らかとなろう。
【図面の簡単な説明】
【００２２】
【図１】本発明に係る床用敷物の一例を示す平面図である。
【図２】図１のＩＩ−ＩＩ線に沿う要部拡大断面図である。
【図３】図１に示す床用敷物の要部拡大斜視図である。
【図４】図１のＩＶ−ＩＶ線に沿う要部拡大断面図である。
【図５】図１に示す床用敷物の底面図である。
【図６】図１に示す床用敷物を連結した状態を示す平面図である。
【図７】本発明に係る床用敷物の他の例を示す平面図である。
【図８】図７に示す床用敷物を連結した状態を示す平面図である。
【図９】本発明に係る床用敷物を連結した状態を示す要部断面図である。
【図１０】本発明に係る床用敷物の使用状態の一例を示す平面図である。
【図１１】（ａ）および（ｂ）は、追加壁の他の構成例を示す要部拡大断面図である。
【図１２】従来の床用敷物の使用状態の一例を示す平面図である。
【発明を実施するための形態】
【００２３】
以下、本発明の好ましい実施の形態について、図面を参照して具体的に説明する。
【００２４】
図１〜図５は、本発明に係る床用敷物の一例を示している。本実施形態の床用敷物Ａ１は、平面視矩形状のベース部材１と、この外周縁を構成する側面部１ａ，１ｂに設けられた筒状部２および係止部３とを備え、たとえばポリ塩化ビニル系樹脂などの熱可塑性樹脂により一体形成されたものである。
【００２５】
図１に表れているように、ベース部材１は、平面視矩形状の複数（本実施形態では４つ）の単位領域１０を有する。これら単位領域１０は、所定幅の境界部１１を介して複数行、複数列（本実施形態では２行、２列）に並んで一体化されている。図２に表れているように、境界部１１の上部１１ａは、単位領域１０の上部よりも低位に位置している。本実施形態では、ベース部材１およびこれを構成する単位領域１０は、いずれも平面視において略正方形とされている。
【００２６】
単位領域１０は、平面視において格子状とされた格子壁１２を有する。格子壁１２は、平面視において縦横に複数ずつ並ぶ縦壁１２１および横壁１２２が交差して構成されたものである。格子壁１２の上部は、凸部１２ａおよび凹部１２ｂからなる凹凸状とされている。
【００２７】
図２〜図４に表れているように、凸部１２ａは、各縦壁１２１と各横壁１２２との交差部１２３、および隣り合う２つの上記交差部１２３の間に設けられている。本実施形態では、凸部１２ａおよび凹部１２ｂは、それぞれ同一ピッチで交互に配列されており、隣り合う上記交差部１２３の間には、２つの凸部１２ａが設けられている。図２〜図４から理解されるように、凹部１２ｂは、各横壁１２２の上端縁における各縦壁１２１に隣接する部位、および各縦壁１２１の上端縁における各横壁１２２に隣接する部位に設けられている。
【００２８】
図１〜図３に表れているように、各単位領域１０において、格子壁１２を構成する（多数の）格子の目には、当該格子壁１２につながる十字状の追加壁１３が設けられている。本実施形態では、追加壁１３は、隣接する２つの交差部１２３の中間において縦壁１２１または横壁１２２に接続しており、縦壁１２１または横壁１２２と平行となるように縦横に沿って形成されている。
【００２９】
図２、図３に表れているように、追加壁１３の中央交差部１３１には、上方に突出する突起１３ａが形成されている。突起１３ａの高さは、格子壁１２の凸部１２ａの高さと同一である。追加壁１３において、中央交差部１３１に隣接する部位（４箇所）は、上端縁が当該中央交差部１３１から遠ざかるにつれて下方に変位する傾斜部１３２とされている。また、追加壁１３において、傾斜部１３２に隣接する部位（４箇所）は、接続部１３３とされている。接続部１３３は、格子壁１２に隣接しており、当該格子壁１２（縦壁１２１または横壁１２２）につながる部分である。接続部１３３の上端縁は、一定高さの平坦面とされており、格子壁１２の凹部１２ｂよりも低位に位置している。
【００３０】
図４および図５に表れているように、ベース部材１の下面には、下方に突出する複数の突部１４が形成されている。これら突部１４は、たとえば上記した多数の追加壁１３のうち選択された一部が下方に延出されることによって形成されたものを含む。突部１４は、ベース部材１の下面において略均等に分散して配されており、これら突部１４の先端は、いずれも同一平面上に位置している。かかる構成により、床用敷物Ａ１が床面上に置かれると、これら突部１４の先端が床面に当接することにより、ベース部材１が床面との間に所定の隙間をあけて床面上に支持されるようになっている。
【００３１】
図５に表れているように、ベース部材１の下面にはまた、凹段部１５が形成されている。凹段部１５は、各側面部１ａ，１ｂから一定寸法内側の位置を境界線１５ａ，１５ｂとして囲まれた範囲に形成されている。ベース部材１の厚みは、凹段部１５が形成された部分において周囲の他の部分よりも小とされている。
【００３２】
図１に表れているように、筒状部２は、ベース部材１の外周縁を構成する４つの側面部１ａ，１ｂのうち隣り合う２つの側面部１ａにそれぞれ設けられている。筒状部２は、係止部３を嵌入するための孔２ａを有し、各側面部１ａにおいて単位領域１０に対応した２箇所に配されている。筒状部２が設けられた２つの側面部１ａには、平板部１６が設けられている。平板部１６は、基端がベース部材１の下部につながるとともに、平面視においてベース部材１から外側に向けて延出している。図１および図２に表れているように、平板部１６の先端には、上方に突出する帯状突部１６ａが設けられている。
【００３３】
係止部３は、４つの側面部１ａ，１ｂのうち他の隣り合う２つの側面部１ｂにそれぞれ設けられている。係止部３もまた、各側面部１ｂにおいて単位領域１０に対応した２箇所に配されている。１枚の床用敷物Ａ１における筒状部２の孔２ａに対して、他の床用敷物Ａ１における係止部３を嵌入することにより、筒状部２および係止部３が互いに係合し、２枚の床用敷物Ａ１を連結することができる。実際の使用に際しては、これと同様の手法により複数の床用敷物Ａ１が縦横に連結される。
【００３４】
図６は、本実施形態の床用敷物Ａ１を縦横に複数連結した状態について、各床用敷物Ａ１の格子壁１２および追加壁１３を省略し、単位領域１０の輪郭を表したものである。同図に表れているように、隣接する床用敷物Ａ１の継ぎ目には所定幅の隙間Ｓ１が形成される。
【００３５】
床用敷物Ａ１は、小サイズとして構成されたものであり、そのサイズはたとえば１５０ｍｍ角とされる。床用敷物Ａ１のサイズ（１５０ｍｍ）は、縦横に複数連結された状態にある床用敷物Ａ１のピッチ寸法であり、ベース部材１の一辺の長さ寸法Ｌ１と、上記隙間Ｓ１の寸法とを加算した寸法である。ここで、隙間Ｓ１の寸法は、隣接する床用敷物Ａ１におけるベース部材１間の寸法であり、たとえば２ｍｍに設定される。この場合、ベース部材１の一辺の長さ寸法Ｌ１は、１４８ｍｍとされる。そして、ベース部材１における単位領域１０の間の境界部１１の幅寸法Ｗ１は、上記隙間Ｓ１の寸法と同じ２ｍｍとされる。各単位領域１０の一辺の長さ寸法は、７３ｍｍとされる。
【００３６】
図７は、本発明に係る床用敷物の他の例を示している。図７に表れている床用敷物Ａ２は、上記した床用敷物Ａ１と基本的には同一の構成とされるが、上記の床用敷物Ａ１とはサイズが異なっている。なお、同図に示された床用敷物Ａ２について、上記の床用敷物Ａ１と同一または類似の要素には床用敷物Ａ１と同一の符号を付しており、適宜説明を省略する。
【００３７】
床用敷物Ａ２は、大サイズとして構成されたものであり、そのサイズはたとえば４５０ｍｍ角とされる。したがって、床用敷物Ａ２は、縦横の寸法が床用敷物Ａ１の３倍のサイズであり、これに伴って、ベース部材１を構成する単位領域１０の数が床用敷物Ａ１とは異ならせられている。すなわち、床用敷物Ａ２においては、単位領域１０は境界部１１を介して６行、６列に並んで一体化されており、合計３６個の単位領域１０を有する。なお、詳細な図示説明は省略するが、床用敷物Ａ２における各単位領域１０は、上記床用敷物Ａ１の単位領域１０と同様の構成とされており、上記した格子壁１２および追加壁１３を有する点についても床用敷物Ａ１と同様である。
【００３８】
図７に表れているように、床用敷物Ａ２において、筒状部２は、各側面部１ａにおいて単位領域１０に対応した６箇所に配されており、係止部３もまた、各側面部１ｂにおいて単位領域１０に対応した６箇所に配されている。１枚の床用敷物Ａ２における筒状部２に対して、他の床用敷物Ａ２における係止部３を嵌入することにより、筒状部２および係止部３が互いに係合し、２枚の床用敷物Ａ２を連結することができる。
【００３９】
図８は、床用敷物Ａ２を複数連結した状態を表したものである。同図に表れているように、隣接する床用敷物Ａ２の継ぎ目には所定幅の隙間Ｓ２が形成される。
【００４０】
床用敷物Ａ２のサイズ（４５０ｍｍ）は、複数連結された状態にある床用敷物Ａ２のピッチ寸法であり、ベース部材１の一辺の長さ寸法Ｌ３と、上記隙間Ｓ２の寸法とを加算した寸法である。ここで、隙間Ｓ２の寸法は、隣接する床用敷物Ａ２におけるベース部材１間の寸法であり、上記した隣接する床用敷物Ａ１の隙間Ｓ１と同一である２ｍｍに設定される。床用敷物Ａ２におけるベース部材１の一辺の長さ寸法Ｌ３は、４４８ｍｍとされる。そして、ベース部材１における単位領域１０の間の境界部１１の幅寸法Ｗ２は、上記隙間Ｓ２の寸法と同じ２ｍｍとされる。各単位領域１０の一辺の長さ寸法Ｌ４は、７３ｍｍとされる。
【００４１】
上記した床用敷物Ａ１および床用敷物Ａ２の構成から理解されるように、小サイズの床用敷物Ａ１と大サイズの床用敷物Ａ２とは、互いに連結することが可能となっている。
【００４２】
上記構成の床用敷物Ａ１，Ａ２は、使用場所に応じて所望のサイズとなるように、縦横に複数連結した状態で床面上に敷き詰めて使用される。床用敷物Ａ１，Ａ２を使用する際には、まず、所望枚数の床用敷物Ａ１，Ａ２を準備し、これら床用敷物Ａ１，Ａ２を上述したように縦横に連結して、屋内外の通路や風除室に敷き詰める。ここで、敷き詰められた床用敷物Ａ１，Ａ２全体の周縁部分は、必要に応じて切断される。次いで、床用敷物Ａ１，Ａ２の継ぎ目の隙間Ｓ１，Ｓ２に液状の接着剤を流し込み、当該接着剤により複数の床用敷物Ａ１．Ａ２の全体を一体的に固定させる（図９参照）。
【００４３】
図１０は、複数の床用敷物Ａ１，Ａ２を縦横に連結した使用状態の一例を示す平面図である。同図においては、警告・誘導パネルＰを取り囲むようにして複数の床用敷物Ａ１，Ａ２を敷き詰めた場合を模式的に示している。
【００４４】
図１０では、図１２を参照して上述した従来の床用敷物Ｘ１，Ｘ２に対応する配置とされており、図１２において小サイズの床用敷物Ｘ１が置かれた位置には、小サイズの床用敷物Ａ１が置かれ、図１２において大サイズの床用敷物Ｘ２が置かれた位置には、大サイズの床用敷物Ａ２が置かれている。なお、図１０においては、床用敷物Ａ１（Ａ２）の境界と単位領域１０の境界とを区別するために、床用敷物Ａ１（Ａ２）の継ぎ目を太線で表し、単位領域１０の境界部１１を細線で表している。
【００４５】
床用敷物Ａ１（Ａ２）によれば、ベース部材１における複数行、複数列に並んだ複数の単位領域１０は、所定幅の境界部１１によって互いに区切られている。これにより、ベース部材の上面においては、複数の単位領域１０が縦横に並ぶ態様が表れている。複数の床用敷物Ａ１（Ａ２）を縦横に連結して使用する際には、隣接する床用敷物Ａ１（Ａ２）の間の継ぎ目は、各床用敷物Ａ１（Ａ２）における隣接する単位領域１０の間の境界部１１との区別が付き難い。したがって、連結された複数の床用敷物Ａ１（Ａ２）は、継ぎ目の有無に拘わらず、同一の単位領域１０が連続して並ぶように見える。その結果、連結された床用敷物Ａ１（Ａ２）について、外観上の体裁が良好である。
【００４６】
また、床用敷物Ａ１，Ａ２は、いずれも同一構成の複数の単位領域１０を有し、これら単位領域１０が同一幅の境界部１１を介して縦横に並んでいる。したがって、図１０に表れているように、サイズの異なる床用敷物Ａ１，Ａ２を混在させて敷き詰めた場合においても、連結された複数の床用敷物Ａ１，Ａ２は、継ぎ目の有無に拘わらず、同一の単位領域１０が連続して並ぶように見える。その結果、連結されたサイズの異なる床用敷物Ａ１，Ａ２についても、外観上の体裁を良好に維持することができる。
【００４７】
床用敷物Ａ１（Ａ２）において、各単位領域１０の格子壁１２の上部は、凸部１２ａおよび凹部１２ｂからなる凹凸状とされている。これにより、靴底の汚れが除去され易く、除塵性を高めることができる。
【００４８】
格子壁１２における凸部１２ａは、各縦壁１２１と各横壁１２２との交差部１２３、および隣り合う２つの交差部１２３の間に設けられている。その一方、凹部１２ｂは、各横壁１２２の上端縁における各縦壁１２１に隣接する部位、および各縦壁１２１の上端縁における各横壁１２２に隣接する部位に設けられている。このため、ベース部材１の一部を切断する場合において、たとえば図１において仮想線で示したカットラインＣ１，Ｃ２のように、選択したいずれかの縦壁１２１あるいは横壁１２２の際に位置する凹部１２ｂに沿ってカットすることが可能である。したがって、上記した凸部１２ａおよび凹部１２ｂの配置によれば、床用敷物Ａ１（Ａ２）の切断時の作業性を高めることができる。
【００４９】
格子壁１２を構成する格子の目には、十字状の追加壁１３が設けられており、追加壁１３は、中交交差部１３１と、中央交差部１３１に隣接する傾斜部１３２と、傾斜部１３２に隣接し、かつ格子壁１２に隣接する接続部１３３とを有する。このような傾斜部１３２および接続部１３３を有する構成によれば、ベース部材１を切断する場合に、傾斜部１３２によって接続部１３３が切断されるようにガイドされる。したがって、かかる構成は、縦壁１２１あるいは横壁１２２の際に沿って切断するのに適しており、床用敷物Ａ１（Ａ２）の切断時の作業性を高めるうえで好適である。
【００５０】
また、接続部１３３の上端縁は、格子壁１２の凹部１２ｂよりも低位に位置している。このため、接続部１３３における垂直方向の断面積が格子壁１２における垂直方向の断面積よりも小となっている。これにより、床用敷物Ａ１（Ａ２）の切断時における追加壁１３での切断力が小さくて済むので、切断作業をスムーズに行うことができる。
【００５１】
追加壁１３の中央交差部１３１には上方に突出する突起１３ａが設けられているため、この突起１３ａによって除塵性の向上を図ることができる。また、追加壁１３は、中央交差部１３１につながる十字状の傾斜部１３２を有し、傾斜部１３２の上端縁は中央交差部１３１から遠ざかるにつれて下方に変位している。このような傾斜部１３２を有する構成によれば、突起１３ａの補強としての機能を備えるとともに、靴底からの除去物（たとえば小石等）を下方に誘導することによって当該除去物が格子壁１２および追加壁１３の間に詰まるのを抑制することができる。さらに、上記したように、追加壁１３の接続部１３３における垂直方向の断面積が格子壁１２における垂直方向の断面積よりも小となっている。かかる構成によれば、追加壁１３に垂直方向の荷重がかかる場合は、格子壁１２に垂直方向の荷重がかかる場合に比べて、垂直方向への弾性変形量が大きくなる。したがって、追加壁１３を具備する構成によれば、床用敷物Ａ１（Ａ２）のクッション性を高める効果が期待できる。
【００５２】
筒状部２が設けられた２つの側面部には、基端がベース部材１の下部につながる平板部１６が設けられている。平板部１６は、平面視においてベース部材１の外側に延出しており、先端には上方に突出する帯状突部１６ａが設けられている。これにより、床用敷物Ａ１の連結時には、図９に表れているように、平板部１６が隣接する床用敷物Ａ１の側面部１ｂの下部に当接しつつ、帯状突部１６ａが当該側面部１ｂの下部に係合することによって、隣り合う２枚の床用敷物Ａ１（Ａ２）の隙間が一定範囲内に規定されて位置決めが図られる。また、平板部１６の先端に帯状突部１６ａが設けられた構成によれば、床用敷物Ａ１（Ａ２）の継ぎ目に流し込んだ接着剤Ｂが床面に流れ落ちるのを防止することができるので、床用敷物Ａ１（Ａ２）の連結状態を適切に維持するうえで好ましい。
【００５３】
ベース部材１の下面には、凹段部１５が形成されている。これにより、床用敷物Ａ１（Ａ２）の軽量化を図ることができる。また、連結された周縁部の段差をなくすニーズがある場合には、たとえば図示しない傾斜面を有する縁取り部材（図示略）が床用敷物Ａ１（Ａ２）の周縁ないし下面にまたがって取り付けられる。このとき、筒状部２または係止部３や、ベース部材１の下面に形成された突部１４の一部を切り落とす必要があるが、段差部１５は、各側面部１ａ，１ｂから一定寸法内側の位置を境界線１５ａ，１５ｂとする範囲に形成されている。このため、当該境界線１５ａ，１５ｂを、突部１４等の切断範囲を規定するための目印として利用することができる。かかる構成によれば、上記縁取り部材を取り付ける際の作業性が改善される。
【００５４】
以上、本発明の具体的な実施形態を説明したが、本発明はこれに限定されるものではなく、発明の思想から逸脱しない範囲内で種々な変更が可能である。本発明に係る床用敷物の各部の具体的な形状や材質、寸法なども、上記実施形態に限定されるものではない。
【００５５】
上記実施形態においては、追加壁１３について、上端縁が中央交差部１３１から遠ざかるにつれて下方に変位する傾斜部１３２と、上端縁が一定高さとされた接続部１３３とを備える場合を例に挙げて説明したが、これに限定されない。たとえば、図１１（ａ）に表れているように、接続部１３３は、上端縁が傾斜部１３２の上端縁と一連につながる傾斜状とされることによって一定高さの平坦面を有しない構成としてもよい。また、図１１（ｂ）に表れているように、接続部１３３と傾斜部１３２との間に高さ方向における段差を有する構成としてもよい。
【００５７】
上記実施形態においては、ベース部材１および単位領域１０が平面視において略正方形とされた場合を例に挙げて説明したが、これに限定されない。ベース部材および単位領域は、平面視において長矩形状としてもよい。
【００５８】
ベース部材１を構成する単位領域の数量（縦横に並ぶ行数および列数）については、上記実施形態に示した床用敷物Ａ１（２行、２列）および床用敷物Ａ２（６行、６列）に限定されない。また、単位領域が並ぶ行数と列数とは、必ずしも同数でなくてもよい。
【符号の説明】
【００５９】
Ａ１，Ａ２    床用敷物
１        ベース部材
１ａ，１ｂ    側面部
２        筒状部（第１係止部）
３        係止部（第２係止部）
１０      単位領域
１１      境界部
１１ａ    （境界部の）上部
１２      格子壁
１２１    縦壁
１２２    横壁
１２３    交差部
１２ａ    凸部
１２ｂ    凹部
１３      追加壁
１３１    中央交差部
１３２    傾斜部
１３３    接続部
１３ａ    突起
１４      突部
１５      凹段部
１５ａ，１５ｂ    境界線
１６      平板部
１６ａ    帯状突部
【図１】
0005731181.tif 000002
【図２】
0005731181.tif 000003
【図３】
0005731181.tif 000004
【図４】
0005731181.tif 000005
【図５】
0005731181.tif 000006
【図６】
0005731181.tif 000007
【図７】
0005731181.tif 000008
【図８】
0005731181.tif 000009
【図９】
0005731181.tif 000010
【図１０】
0005731181.tif 000011
【図１１】
0005731181.tif 000012
【図１２】
0005731181.tif 000013